(57)【要約】【課題】本体ケーシングの前方へ天板を簡単に移動できて、送風ファンやその駆動部などのメンテンナンスや清掃を手軽に行なうことのできる空調用室内機が要求されている。【解決手段】空調用室内機１は、左右の側板２，３と、左右の側板２，３上に支持される天板４と、背板５と、前板と、底板７とを備えてなる本体ケーシング８を有し、本体ケーシング８内の左右の側板２，３の間に室内熱交換器９が配備され、天板４の下面に、室内熱交換器９からの空気を吹き出す送風ファン１０，１０と、送風ファン１０，１０を回転駆動する駆動部１１とが設けられ、左右の側板２，３の上部に、天板４を前後出し入れ自在に支持する天板支持部材３０，３０がそれぞれ設置されているものである。【選択図】図１
2010117105.tif 000002
【特許請求の範囲】
【請求項１】
左右の側板と、前記左右の側板上に支持される天板と、背板と、前板とを備えてなる本体ケーシングを有し、前記本体ケーシング内の左右の側板の間に室内熱交換器が配備され、前記天板の下面に、前記室内熱交換器からの空気を吹き出す送風ファンと、前記送風ファンを回転駆動する駆動部とが設けられ、前記左右の側板の上部に、前記天板を前後出し入れ自在に支持する天板支持部材がそれぞれ設置されていることを特徴とする空調用室内機。
【請求項２】
天板支持部材は、長手方向を前後にして設置されるレール状部材で構成され、前記レール状部材上に天板が線接触状態で支持されていることを特徴とする請求項１に記載の空調用室内機。
【請求項３】
レール状部材は頂部で天板を支持する上向き突部を有していて、前記上向き突部における左右の側板と対向する側の面がそれぞれ垂直面として形成され、前記レール状部材が前記左右の側板のそれぞれの内面に設置され、前記天板の左右端部には、前記レール状部材の上向き突部の垂直面と摺接して前記左右の側板が外方へ変位することを規制する逃げ止め部材が設けられていることを特徴とする請求項２に記載の空調用室内機。
【発明の詳細な説明】
【技術分野】
【０００１】
この発明は、被空調室内に設置されて冷房や暖房を行なう空調用室内機に係り、更に詳しくは、搭載している送風ファンやその駆動部のメンテンナンスや清掃を手軽に行なうことのできる空調用室内機に関する。
【背景技術】
【０００２】
冷房や暖房を行なうために被空調室内に設置される冷凍サイクル装置の空調用室内機は、被空調室内の設置条件によっては、衛生面で常に清潔にしておかなければならないなどの理由から機内の各部品を定期的に洗浄することが望まれる場合がある。このような事情に対処するものとして、例えば下記の特許文献１に記載された空調用室内機が知られている。この文献記載の空調用室内機は、左右の側板と、左右の側板上に支持される天板と、背板と、前板とからなる直方箱状の本体ケーシングを備えている。この空調用室内機では、本体ケーシング内に室内熱交換器が配備されており、天板の下面に、室内熱交換器からの空気を送り出す送風ファンおよびそれを囲むファンケーシングと、送風ファンを回転駆動する駆動部が取り付けられている。
【０００３】
この空調用室内機において使用中に汚れた送風ファンを洗浄する場合には、吹出し側のダクトやプレナム、吸気側の駆動部を取り外す必要があり、洗浄を行なうことは非常に困難である。そこで、ファンケーシングにメンテナンス用の開口部を設けているのである。この開口部は開口パネルのビス留めなどにより蓋止されている。
【０００４】
【特許文献１】特開２００６−１０１７７号公報
【発明の開示】
【発明が解決しようとする課題】
【０００５】
ところで、上記文献記載の空調用室内機において送風ファンの洗浄を行なう際には、ファンケーシングの開口部が開放され、この開口部から送風ファンが洗浄されるようになっている。しかしながら、開口部からの洗浄は行き届きにくいことから、多大な労力と注意を必要とするダクト、プレナム、駆動部の取り外し作業を行なわなければならないこともある。
【０００６】
この発明は、上記のような課題を解決するためになされたもので、送風ファンやその駆動部などのメンテンナンスや清掃を手軽に行なうことのできる空調用室内機の提供を目的とする。
【課題を解決するための手段】
【０００７】
上記目的を達成するために、本発明に係る空調用室内機は、左右の側板と、左右の側板上に支持される天板と、背板と、前板とを備えてなる本体ケーシングを有し、本体ケーシング内の左右の側板の間に室内熱交換器が配備され、天板の下面に、室内熱交換器からの空気を吹き出す送風ファンと、送風ファンを回転駆動する駆動部とが設けられ、左右の側板の上部に、天板を前後出し入れ自在に支持する天板支持部材がそれぞれ設置されているものである。
【発明の効果】
【０００８】
この発明に係る空調用室内機は、左右の側板の上部に、天板を前後出し入れ自在に支持する天板支持部材がそれぞれ設置されており、天板を天板支持部材に載せて前後出し入れ自在の構造となっている。従って、本体ケーシングの前方へ天板を簡単に移動させることができて、送風ファンやその駆動部などのメンテンナンスや清掃を手軽に行なえるという効果を奏する。
【発明を実施するための最良の形態】
【０００９】
以下、本発明の最良の実施形態を図面に基づいて説明する。
実施の形態１．
図１は本発明の一実施形態に係る空調用室内機の前板を取り外した状態を示す正面図、図２は前記空調用室内機の図面に向かって左側の側板を取り外した状態を示す側面図、図３は前記空調用室内機の平面図である。
各図において、この実施形態に係る空調用室内機１は、左右の側板２，３と、左右の側板２，３上に支持される天板４と、背板５と、前板６と、底板７とから直方箱状に形成された本体ケーシング８を備えている。これらの側板２，３、背板５、前板６、および底板７は、それぞれの間に支柱材や横枠材を適宜介在させてビスなどで固定されている。天板４は、後で詳述するように、側板２，３および背板５とは独立した構成となっている。
本体ケーシング８内は、ケーシング前面下部の空気吸込口２１とケーシング上面の開口とを連通する通風路になっている。この通風路内には、汎用の空調用冷媒回路（図示省略）の一構成部品である室内熱交換器９が、前側を高くした傾斜配置で設置されている。この室内熱交換器９を境に、本体ケーシング８内の通風路が空気入側の１次側空間１９と空気出側の２次側空間２０とに区画される。
【００１０】
天板４の下面には、１組の支持脚１８，１８が左右方向に離間して垂設されている。支持脚１８，１８の下端部には、ボールベアリングなどの軸受１４，１４が取り付けられている。これらの軸受１４，１４に回転軸１３が架け渡されて回動自在に軸支されている。回転軸１３の途中には、シロッコファンなどに代表される２台の送風ファン１０，１０が固設されている。そして、これらの送風ファン１０，１０の周囲をそれぞれ囲むファンケーシング１２，１２が天板４の下面に固設されている。各ファンケーシング１２の左右両側における回転軸１３の周囲部分は開口して、吸込口１２Ａ，１２Ａとなっている。ファンケーシング１２，１２の上面には、空気の吹出口１２Ｂ，１２Ｂが形成されている。ファンケーシング１２，１２は、天板４に取り付けられた状態で、それぞれの吹出口１２Ｂ，１２Ｂが天板４の吹出用開口４Ａ，４Ａと連通する位置となるように配置されている。
【００１１】
そして、天板４の下面にはモータ３８が固設されている。このモータ３８の回転駆動軸にモータプーリ１６が取り付けられ、回転軸１３の一端部にファンプーリ１５が取り付けられ、ファンプーリ１５とモータプーリ１６との間にベルト１７が架け回されている。これらにより、モータ３８の回転駆動力が送風ファン１０，１０に伝達される。すなわち、モータ３８、モータプーリ１６、ベルト１７、ファンプーリ１５、および回転軸１３から、送風ファン１０，１０を回転駆動する駆動部１１が構成される。前記した送風ファン１０，１０は、室内熱交換器９から出た２次側空間２０の空気を吸込口１２Ａ，１２Ａより吸い込んで吹出口１２Ｂ，１２Ｂから吹き出すようになっている。
【００１２】
更に、本体ケーシング８内で室内熱交換器９の下方位置には、室内熱交換器９からのドレン水を収受するドレンパン２２が配備されている。本体ケーシング８内でドレンパン２２の下方位置には、モータ３８駆動用の電気部品などを収納した電気品箱２６が配備されている。本体ケーシング８内で、例えば室内熱交換器９の図面に向かって左側位置は冷媒配管２３を上下に通す空間部となっている。この空間部が上側の配管カバー２５と下側の塞ぎ板２４により覆われることにより、上述した通風路が最終的に１次側空間１９と２次側空間２０とに区画される。
【００１３】
天板４は、図４に示すように、平板部４Ｂと、この平板部４Ｂから前方に延びる前鍔部４Ｃと、平板部４Ｂと前鍔部４Ｃの境界部分で起立した前板部４Ｄと、平板部４Ｂの後端縁で起立した背板部４Ｅとから構成されている。ファンケーシング１２，１２の吹出口１２Ｂ，１２Ｂに対応する位置の平板部４Ｂには、吹出用開口４Ａ，４Ａが形成されている。
【００１４】
そして、側板２，３の内面２ａ，３ａのそれぞれの上部には、図５および図６に示すように、前後に長い角柱状の受け部材３７，３７が固設されている。これらの受け部材３７，３７の上面には、天板支持部材３０，３０がそれぞれ設置されビスなどで固定されている。それぞれの天板支持部材３０は、長手方向を前後にして設置されるレール状部材３１で構成されている。レール状部材３１は例えば厚さ２．３ｍｍの如く厚手の板金材を折り曲げて作製される。
【００１５】
レール状部材３１は、山型形状に屈曲して形成された上向き突部３２を有している。上向き突部３２における、左右の側板２，３の内面２ａ，３ａと対向する側の面は、それぞれ垂直面３３として形成されている。この上向き突部３２も前後方向に連続する形態に形成されている。これによって、レール状部材３１の頂部３２Ａは天板４の下面を線接触状態で載置して支持する。天板４の左端部４Ｌと右端部４Ｒの下面には、正面視が略「つ」の字状で前後方向に連続する長尺のものとして形成された逃げ止め部材３４，３４が固設されている。逃げ止め部材３４は例えば厚さ２．３ｍｍの如く厚手の板金材を折り曲げて作製される。この場合、天板４の右端部４Ｒに固設される逃げ止め部材３４と、天板４の左端部４Ｌに固設される逃げ止め部材３４とは左右逆向きに配置される。これらの逃げ止め部材３４，３４は、天板４がレール状部材３１，３１上に支持された状態でそれぞれの屈曲先端部がレール状部材３１，３１の垂直面３３，３３と対向するように配置される。逃げ止め部材３４，３４の屈曲先端部とレール状部材３１，３１の垂直面３３，３３との隙間は極力狭いほうがよいが、天板４の円滑な前後移動に支障を生じさせない隙間幅にすることが望ましい。
【００１６】
天板４の上方には、例えば外部のダクトと連結するために使用されるフランジ付き枠体２７が配備される。このフランジ付き枠体２７は、天板４の吹出用開口４Ａ，４Ａと連通する位置に吹出用開口２９が形成され、吹出用開口２９の周縁にダクト接続用フランジ２８が全周にわたって立設されている。
フランジ付き枠体２７は、図７（ａ）に示すように、左右両端部に脚部２７Ａ，２７Ａが垂設されている。これらの脚部２７Ａ，２７Ａが左右の受け部材３７，３７上に載置されビスなどで取り付けられることにより、図７（ｂ）に示すように、フランジ付き枠体２７が側板２，３に固定される。このとき、本体ケーシング８の前板６の上方とフランジ付き枠体２７の前方の間に前面開口３６が形成され、この前面開口３６から天板４が格納されるようになっている。格納後の天板４は、その左右前端が側板２，３の前部にビスなどで固定される。尚、天板４の左端部４Ｌと右端部４Ｒのそれぞれの後部には、メンテナンス時などに前方に引き出された天板４が本体ケーシング８の前面開口３６から無為に抜け落ちないよう、左右の側板２，３の内面と係脱自在に係合する係合突起（図示省略）が設けられている。この係合突起の設置位置は、天板４が前方に引き出されたときに空調用室内機１全体が前に倒れない重心をとれるように考慮して決められている。
【００１７】
上記のように構成された空調用室内機１の作用を以下に説明する。
まず、天板４の左右前端を側板２，３の前部に留めていたビスを外したのち、図３および図８（ａ）に示すように、天板４の前部を手でもって前方（矢印Ｆ方向）に引くと、天板４はレール状部材３１の上向き突部３２の頂部３２Ａ上を滑動して前方に移動する。この場合、天板４の下面はレール状部材３１の上向き突部３２の頂部３２Ａに線接触状態で支持されているので、滑り摩擦力が比較的小さく、且つ、点接触状態のように接触位置に力が集中し過ぎて接触部分を変形させるといったこともない。
【００１８】
従って、図８（ｂ）に示すように、比較的小さな力で簡単に天板４を本体ケーシング８の前方にスライドさせることができる。これにより、前方に出てきたファンケーシング１２や駆動部１１を、下方から、左右側方から、あるいは背方から、観察したり、手を差し入れてメンテナンスや清掃を手軽に行なうことができる。また、天板４のシール用のクッション材（図示省略）のヘタリや破れを確認したり補修したりすることもできる。
ところで、上記のように天板４が前方に引き出される際には、天板４の逃げ止め部材３４，３４がレール状部材３１，３１の垂直面３３，３３に摺接する。これにより、側板２，３が左右の外方（図６中の矢印Ｓ方向または矢印−Ｓ方向）に逃げて変位することが規制される。
一方、メンテナンス後は天板４を手で軽く後方（矢印Ｆの反対方向）に押すだけで、天板４を簡単に押し戻して前面開口３６から本体ケーシング８内に格納することができる。すなわち、レール状部材３１である天板支持部材３０，３０は天板４を前後出し入れ自在に支持するのである。
【００１９】
以上説明したように、この実施形態の空調用室内機１は、天板４を左右の天板支持部材３０，３０上に単に載せて前後移動自在とする構造にしたので、天板４の前後スライドを容易に行なうことができる。
【００２０】
この場合、天板支持部材３０は前後方向に長手のレール状部材３１で構成され、天板４はレール状部材３１の上向き突部３２の頂部３２Ａ上に線接触状態で支持されているので、天板４の前後スライドに多大な力を必要としない。従って、たった一人でも、天板４を本体ケーシング８から引き出したり押し戻したりすることができる。
【００２１】
そして、天板４を前後に出し入れする際には、天板４の逃げ止め部材３４，３４がレール状部材３１の垂直面３３，３３に摺接するので、側板２，３が左右の外方へ開いて天板４を支持できなくなるといったことを防止でき、前後スライド時の天板４が左右に振れてガタつくことも防ぐことができる。
【００２２】
尚、上記の実施形態では、天板と、天板を支持する天板支持部材との接触状態として、線接触状態のものを例示したが、本発明はそれに限定されるものでない。本発明の天板と天板支持部材との接触状態は、例えば点接触状態でも面接触状態でも構わない。点接触状態の場合は、天板と天板支持部材のいずれか一方が平面部材で構成され、他方が点支持部材で構成される。
また、逃げ止め部材３４は前後方向に連続した長尺のものを例示したが、例えば前後方向に離間配置された複数の短尺部材の組み合わせで、本発明の逃げ止め部材を構成しても構わない。
また、駆動部１１として、プーリ１５，１６とベルト１７で構成した例を示したが、それ以外に、例えば、スプロケットとチェーンの組み合わせや複数の歯車の組み合わせなどで、本発明の駆動部を構成することも可能である。
【図面の簡単な説明】
【００２３】
【図１】本発明の一実施形態に係る空調用室内機の前板を取り外した状態を示す正面図である。
【図２】前記空調用室内機の図面に向かって左側の側板を取り外した状態を示す側面図である。
【図３】前記空調用室内機の平面図である。
【図４】前記空調用室内機の天板を示し、（ａ）は平面図、（ｂ）は（ａ）におけるＡ−Ａ線矢視断面図である。
【図５】前記空調用室内機の天板を取り外した状態を示し、（ａ）は平面図、（ｂ）は（ａ）におけるＢ−Ｂ線矢視の部分断面図である。
【図６】前記空調用室内機の一部破断した要部拡大正面図である。
【図７】前記空調用室内機の本体ケーシングにフランジ付き枠体を取り付ける態様を示し、（ａ）は取付前の状態を示す部分斜視図、（ｂ）は取付後の状態を示す部分斜視図である。
【図８】前記空調用室内機の前板を取り外した状態を示し、（ａ）は天板が本体ケーシング内に格納されている状態を示す部分斜視図、（ｂ）は天板が本体ケーシングから前方に引き出された状態を示す部分斜視図である。
【符号の説明】
【００２４】
１  空調用室内機、２  側板、２ａ  内面、３ａ  内面、３  側板、４  天板、４Ａ  吹出用開口、４Ｂ  平板部、４Ｃ  前鍔部、４Ｄ  前板部、４Ｅ  背板部、４Ｌ  左端部、４Ｒ  右端部、５  背板、６  前板、７  底板、８  本体ケーシング、９  室内熱交換器、１０  送風ファン、１１  駆動部、１２  ファンケーシング、１２Ａ  吸込口、１２Ｂ  吹出口、１３  回転軸、１４  軸受、１５  ファンプーリ、１６  モータプーリ、１７  ベルト、１８  支持脚、１９  １次側空間、２０  ２次側空間、２１  空気吸込口、２２  ドレンパン、２３  冷媒配管、２４  塞ぎ板、２５  配管カバー、２６  電気品箱、２７  フランジ付き枠体、２７Ａ  脚部、２７Ｂ  陥入部、２８  ダクト接続用フランジ、２９  吹出用開口、３０  天板支持部材、３１  レール状部材、３２  上向き突部、３２Ａ  頂部、３３  垂直面、３４  逃げ止め部材、３６  前面開口、３７  受け部材、３８  モータ、３９  クッション材、Ｆ  矢印、Ｓ  矢印。
【図１】
2010117105.tif 000003
【図２】
2010117105.tif 000004
【図３】
2010117105.tif 000005
【図４】
2010117105.tif 000006
【図５】
2010117105.tif 000007
【図６】
2010117105.tif 000008
【図７】
2010117105.tif 000009
【図８】
2010117105.tif 000010